(57)【要約】【課題】柵を用いた犬猫等のペット用檻やペット用柵において、柵の高さ調節が出来るようにし、安価で強度のある扉を造る。【解決手段】下側の柵と上側の柵とを造り、下側の柵に対して上側の柵を上下移動できるように造り、柵の高さ調節が出来るようにした、および、柵の土台と桁の両端に縦穴を開け、その縦穴に柱を通して、柵を組み立ててペット用檻やペット用柵を造り、柱を中心にして、柵を回転して開閉できるようにした、以上のことを特徴とするペット用檻やペット用柵。【選択図】    図１
2004242649.tif 000002
【特許請求の範囲】
【請求項１】
下側の柵Ａは、土台Ａａと桁Ａｂとの間に柱Ａｃを建て、上側の柵Ｂの柱Ｂｃを通すための縦穴Ａｄを桁Ａｂに開け、柵の高さ調節し固定するためのピンＫ等を入れる横穴を桁Ａｂに開け、上側の柵Ｂは、土台Ｂａと桁Ｂｂとの間に柱Ｂｃを建て、下側の柵Ａの柱Ａｃを通すための縦穴Ｂｅを土台Ｂａに開け、柵の高さ調節し固定するためのピンＫ等を入れる横穴Ｂｄを柱Ｂｃに開け、下側の柵Ａと上側の柵Ｂを組み立て、下側の柵Ａの桁Ａｂに開けた横穴と上側の柵Ｂの柱Ｂｃの開けた横穴ＢｄとにピンＫ等を通し、ピンＫ等を用いて下側の柵Ａの桁Ａｂと上側の柵Ｂの柱Ｂｃとを固定した、以上のことを特徴とするペット用檻やペット用柵。
【請求項２】
下側の柵Ｃは、土台Ｃａと桁Ｃｂとの間に柱Ｃｃを建て、柵の高さ調節し固定するためのピンＫ等を入れる横穴Ｃｄを柱Ｃｃに開け、柵の高さ調節し固定するためのピンＫ等を入れる横穴を桁Ｃｂに開け、上側の柵Ｄは、土台Ｄａと桁Ｄｂとの間に柱Ｄｃを建て、柵の高さ調節し固定するためのピンＫ等を入れる横穴Ｄｄを柱Ｄｃに開け、柵の高さ調節し固定するためのピンＫ等を入れる横穴を土台Ｄａに開け、下側の柵Ｃと上側の柵Ｄを組み立て、下側の柵Ｃの桁Ｃｂに開けた横穴と上側の柵Ｄの柱Ｄｃに開けた横穴ＤｄとにピンＫ等を通し、ピンＫ等を用いて下側の柵Ｃの桁Ｃｂと上側の柵Ｄの柱Ｄｃとを固定し、および、上側の柵Ｄの土台Ｄａに開けた横穴と下側の柵Ｃの柱Ｃｃの開けた横穴ＣｄとにピンＫ等を通し、ピンＫ等を用いて上側の柵Ｄの土台Ｄａと下側の柵Ｃの柱Ｃｃとを固定した、以上のことを特徴とするペット用檻やペット用柵。
【請求項３】
下側の柵Ｅは、土台Ｅａと桁Ｅｂとの間に柱Ｅｃを建て、および、土台Ｅａと桁Ｅｄとの間に柱Ｅｆを建て、柵の高さ調節し固定するためのピンＫ等を入れる横穴Ｅｇを柱Ｅｃに開け、上側の柵Ｆは、土台Ｆａと桁Ｆｂとの間に柱Ｆｃを建て、下側の柵Ｅと上側の柵Ｆとを固定するためのピンＫ等を入れる横穴を土台Ｆａに開け、下側の柵Ｅの桁Ｅｂと下側の柵Ｅの桁Ｅｄとの間に上側の柵Ｆの柱Ｆｃを入れ、下側の柵Ｅと上側の柵Ｆを組み立て、下側の柵Ｅの柱Ｅｃに開けた横穴Ｅｇと上側の柵Ｆの土台Ｆａに開けた横穴とにピンＫ等を通し、ピンＫ等を用いて下側の柵Ｅの柱Ｅｃと上側の柵Ｆの土台Ｆａとを固定した、以上のことを特徴とするペット用檻やペット用柵。
【請求項４】
下側の柵と上側の柵とを造り、下側の柵に対して上側の柵を上下移動できるように造り、柵の高さ調節が出来るようにした、以上のことを特徴とするペット用檻やペット用柵。
【請求項５】
前記請求項１記載、前記請求項２記載、前記請求項３記載および前記請求項４記載のペット用檻やペット用柵において、上側の柵と下側の柵を組み立てた土台と桁の両端に縦穴Ｍを開け、その縦穴Ｍに柱Ｎを通して、上側の柵と下側の柵を組み立てた数枚の柵を横方向に組み立ててペット用檻やペット用柵を造り、下側の柵に対して上側の柵を好みの高さに調節できるようにし、柱Ｎを中心にして、組み立てた上側の柵と下側の柵との一面を回転して開閉できるようにした、以上のことを特徴とするペット用檻やペット用柵。
【発明の詳細な説明】
【０００１】
【発明の属する技術分野】
犬猫等のペット用檻やペット用柵の技術。
【０００２】
【従来の技術】
柵を用いた犬猫等のペット用檻やベット用柵の高さの調節ができず、使い勝手が非常に悪い。
【０００３】
【発明が解決しようとする課題】
柵を用いた犬猫等のペット用檻やペット用柵において、柵の高さ調節が出来るようにし、安価で強度のある扉を造る。
【０００４】
【課題を解決するための手段】
下側の柵と上側の柵とを造り、下側の柵に対して上側の柵を上下移動できるように造り、柵の高さ調節が出来るようにした、および、柵の土台と桁の両端に縦穴を開け、その縦穴に柱を通して、柵を組み立ててペット用檻やペット用柵を造り、柱を中心にして、柵を回転して開閉できるようにした、以上のことを特徴とするペット用檻やペット用柵。
【０００５】
【発明の実施の形態】
発明の実施の形態を図面を参照して説明する。
図１において、下側の柵Ａは、土台Ａａと桁Ａｂとの間に柱Ａｃを建て、上側の柵Ｂの柱Ｂｃを通すための縦穴Ａｄを桁Ａｂに開け、柵の高さ調節し固定するためのボルトＪやピンＫを入れる横穴を桁Ａｂに開けた。上側の柵Ｂは、土台Ｂａと桁Ｂｂとの間に柱Ｂｃを建て、下側の柵Ａの柱Ａｃを通すための縦穴Ｂｅを土台Ｂａに開け、柵の高さ調節し固定するためのボルトＪやピンＫを入れる横穴Ｂｄを柱Ｂｃに開けた。下側の柵Ａと上側の柵Ｂを組み立て、下側の柵Ａの桁Ａｂに開けた横穴と上側の柵Ｂの柱Ｂｃの開けた横穴ＢｄとにボルトＪを通し、ボルトＪとナットＬとを用いて下側の柵Ａの桁Ａｂと上側の柵Ｂの柱Ｂｃとを固定し、または、下側の柵Ａの桁Ａｂに開けた横穴と上側の柵Ｂの柱Ｂｃの開けた横穴ＢｄとにピンＫを通し、ピンＫを用いて下側の柵Ａの桁Ａｂと上側の柵Ｂの柱Ｂｃとを固定した。よって、柵の高さ調節が出来るようにした、以上のことを特徴とするペット用檻やペット用柵である。
【０００６】
図２において、下側の柵Ｃは、土台Ｃａと桁Ｃｂとの間に柱Ｃｃを建て、柵の高さ調節し固定するためのボルトＪやピンＫを入れる横穴Ｃｄを柱Ｃｃに開け、柵の高さ調節し固定するためのボルトＪやピンＫを入れる横穴を桁Ｃｂに開けた。上側の柵Ｄは、土台Ｄａと桁Ｄｂとの間に柱Ｄｃを建て、柵の高さ調節し固定するためのボルトＪやピンＫを入れる横穴Ｄｄを柱Ｄｃに開け、柵の高さ調節し固定するためのボルトＪやピンＫを入れる横穴を土台Ｄａに開けた。下側の柵Ｃと上側の柵Ｄを組み立て、下側の柵Ｃの桁Ｃｂに開けた横穴と上側の柵Ｄの柱Ｄｃに開けた横穴ＤｄとにボルトＪを通し、ボルトＪとナットＬとを用いて下側の柵Ｃの桁Ｃｂと上側の柵Ｄの柱Ｄｃとを固定し、または、下側の柵Ｃの桁Ｃｂに開けた横穴と上側の柵Ｄの柱Ｄｃの開けた横穴ＤｄとにピンＫを通し、ピンＫを用いて下側の柵Ｃの桁Ｃｂと上側の柵Ｄの柱Ｄｃとを固定し、および、上側の柵Ｄの土台Ｄａに開けた横穴と下側の柵Ｃの柱Ｃｃの開けた横穴ＣｄとにボルトＪを通し、ボルトＪとナットＬとを用いて上側の柵Ｄの土台Ｄａと下側の柵Ｃの柱Ｃｃとを固定し、または、上側の柵Ｄの土台Ｄａに開けた横穴と下側の柵Ｃの柱Ｃｃの開けた横穴ＣｄとにピンＫを通し、ピンＫを用いて上側の柵Ｄの土台Ｄａと下側の柵Ｃの柱Ｃｃとを固定した。よって、柵の高さ調節が出来るようにした、以上のことを特徴とするペット用檻やペット用柵である。
【０００７】
図３において、下側の柵Ｅは、土台Ｅａと桁Ｅｂとの間に柱Ｅｃを建て、および、土台Ｅａと桁Ｅｄとの間に柱Ｅｆを建て、柵の高さ調節し固定するためのボルトＪやピンＫを入れる横穴Ｅｇを柱Ｅｃに開けた。上側の柵Ｆは、土台Ｆａと桁Ｆｂとの間に柱Ｆｃを建て、下側の柵Ｅと上側の柵Ｆとを固定するためのボルトＪやピンＫを入れる横穴を土台Ｆａに開けた。下側の柵Ｅの桁Ｅｂと下側の柵Ｅの桁Ｅｄとの間に上側の柵Ｆの柱Ｆｃを入れ、上側の柵Ｅと上側の柵Ｆを組み立て、下側の柵Ｅの柱Ｅｃに開けた横穴Ｅｇと上側の柵Ｆの土台Ｆａに開けた横穴とにボルトＪを通し、ボルトＪとナットＬとを用いて下側の柵Ｅの柱Ｅｃと上側の柵Ｅの土台Ｆａとを固定し、または、下側の柵Ｅの柱Ｅｃに開けた横穴Ｅｇと上側の柵Ｄの土台に開けた横穴とにピンＫを通し、ピンＫを用いて下側の柵Ｅの柱Ｅｃと上側の柵Ｆの土台Ｆａとを固定した。よって、柵の高さ調節が出来るようにした、以上のことを特徴とするペット用檻やペット用柵である。
【０００８】
図１，図２，図３において、下側の柵と上側の柵とを造り、下側の柵に対して上側の柵を上下移動できるように造り、柵の高さ調節が出来るようにした、以上のことを特徴とするペット用檻やペット用柵である。
【０００９】
図４において、前記請求項１記載、前記請求項２記載、前記請求項３記載および前記請求項４記載のペット用檻やペット用柵において、上側の柵と下側の柵を組み立てた土台と桁の両端に縦穴Ｍを開け、その縦穴Ｍに柱Ｎを通して、上側の柵と下側の柵を組み立てた数枚の柵を横方向に組み立ててペット用檻やペット用柵を造り、下側の柵に対して上側の柵を好みの高さに調節できるようにした、以上のことを特徴とするペット用檻やペット用柵である。なお、図４では、縦穴Ｍに通した柱Ｎ以外の柱、ピンＫ、ボルトＪ、ナットＬ、縦穴Ｍ以外の縦穴および横穴は図面から除かれている。
【００１０】
図５において、前記請求項１記載、前記請求項２記載、前記請求項３記載および前記請求項４記載のペット用檻やペット用柵において、上側の柵と下側の柵を組み立てた土台と桁の両端に縦穴Ｍを開け、その縦穴Ｍに柱Ｎを通して、上側の柵と下側の柵を組み立てた数枚の柵を横方向に組み立ててペット用檻やペット用柵を造り、下側の柵に対して一部分の上側の柵を好みの高さに調節できるようにした、以上のことを特徴とするペット用檻やペット用柵である。なお、図５では、縦穴Ｍに通した柱Ｎ以外の柱、ピンＫ、ボルトＪ、ナットＬ、縦穴Ｍ以外の縦穴および横穴は図面から除かれている。
【００１１】
図６において、前記請求項１記載、前記請求項２記載、前記請求項３記載および前記請求項４記載のペット用檻やペット用柵において、上側の柵と下側の柵を組み立てた土台と桁の両端に縦穴Ｍを開け、その縦穴Ｍに柱Ｎを通して、上側の柵と下側の柵を組み立てた数枚の柵を横方向に組み立ててペット用檻やペット用柵を造り、下側の柵に対して上側の柵を好みの高さに調節できるようにし、柱Ｎを中心にして、組み立てた上側の柵と下側の柵との一面を回転して開閉できるようにした、以上のことを特徴とするペット用檻やペット用柵である。なお、図６では、縦穴Ｍに通した柱Ｎ以外の柱、ピンＫ、ボルトＪ、ナットＬ、縦穴Ｍ以外の縦穴および横穴は図面から除かれている。
【００１２】
図７，図８において、柱と桁、柱と土台、土台と桁、および、柱と柱を固定するピンＫである。
【００１３】
【実施例】
発明の実施例を図面を参照して説明する。
図１において、金属で造ったペット用檻やペット用柵で、下側の柵Ａは、高さ１ｃｍの土台Ａａと高さ１ｃｍの桁Ａｂとの間に高さ６０ｃｍの柱Ａｃを建て、上側の柵Ｂの柱Ｂｃを通すための縦穴Ａｄを桁Ａｂに開け、柵の高さ調節し固定するためのボルトＪやピンＫを入れる横穴を桁Ａｂに開けた。上側の柵Ｂは、高さ１ｃｍの土台Ｂａと高さ１ｃｍの桁Ｂｂとの間に高さ６０ｃｍの柱Ｂｃを建て、下側の柵Ａの柱Ａｃを通すための縦穴Ｂｅを土台Ｂａに開け、柵の高さ調節し固定するためのボルトＪやピンＫを入れる横穴Ｂｄを柱Ｂｃに開けた。下側の柵Ａと上側の柵Ｂを組み立て、下側の柵Ａの桁Ａｂに開けた横穴と上側の柵Ｂの柱Ｂｃの開けた横穴ＢｄとにボルトＪを通し、ボルトＪとナットＬとを用いて下側の柵Ａの桁Ａｂと上側の柵Ｂの柱Ｂｃとを固定し、または、下側の柵Ａの桁Ａｂに開けた横穴と上側の柵Ｂの柱Ｂｃの開けた横穴ＢｄとにピンＫを通し、ピンＫを用いて下側の柵Ａの桁Ａｂと上側の柵Ｂの柱Ｂｃとを固定した。よって、柵の高さ調節が高さ６３ｃｍから高さ１２２ｃｍまで出来るようにした、以上のことを特徴とするペット用檻やペット用柵である。
【００１４】
図２において、金属で造ったペット用檻やペット用柵で、下側の柵Ｃは、高さ１ｃｍの土台Ｃａと高さ１ｃｍの桁Ｃｂとの間に高さ６０ｃｍの柱Ｃｃを建て、柵の高さ調節し固定するためのボルトＪやピンＫを入れる横穴Ｃｄを柱Ｃｃに開け、柵の高さ調節し固定するためのボルトＪやピンＫを入れる横穴を桁Ｃｂに開けた。上側の柵Ｄは、高さ１ｃｍの土台Ｄａと高さ１ｃｍの桁Ｄｂとの間に高さ６０ｃｍの柱Ｄｃを建て、柵の高さ調節し固定するためのボルトＪやピンＫを入れる横穴Ｄｄを柱Ｄｃに開け、柵の高さ調節し固定するためのボルトＪやピンＫを入れる横穴を土台Ｄａに開けた。下側の柵Ｃと上側の柵Ｄを組み立て、下側の柵Ｃの桁Ｃｂに開けた横穴と上側の柵Ｄの柱Ｄｃに開けた横穴ＤｄとにボルトＪを通し、ボルトＪとナットＬとを用いて下側の柵Ｃの桁Ｃｂと上側の柵Ｄの柱Ｄｃとを固定し、または、下側の柵Ｃの桁Ｃｂに開けた横穴と上側の柵Ｄの柱Ｄｃの開けた横穴ＤｄとにピンＫを通し、ピンＫを用いて下側の柵Ｃの桁Ｃｂと上側の柵Ｄの柱Ｄｃとを固定し、および、上側の柵Ｄの土台Ｄａに開けた横穴と下側の柵Ｃの柱Ｃｃの開けた横穴ＣｄとにボルトＪを通し、ボルトＪとナットＬとを用いて上側の柵Ｄの土台Ｄａと下側の柵Ｃの柱Ｃｃとを固定し、または、上側の柵Ｄの土台Ｄａに開けた横穴と下側の柵Ｃの柱Ｃｃの開けた横穴ＣｄとにピンＫを通し、ピンＫを用いて上側の柵Ｄの土台Ｄａと下側の柵Ｃの柱Ｃｃとを固定した。よって、柵の高さ調節が高さ６３ｃｍから高さ１２２ｃｍまで出来るようにした、以上のことを特徴とするペット用檻やペット用柵である。
【００１５】
図３において、金属で造ったペット用檻やペット用柵で、下側の柵Ｅは、高さ１ｃｍの土台Ｅａと高さ１ｃｍの桁Ｅｂとの間に高さ６０ｃｍの柱Ｅｃを建て、および、土台Ｅａと桁Ｅｄとの間に柱Ｅｆを建て、柵の高さ調節し固定するためのボルトＪやピンＫを入れる横穴Ｅｇを柱Ｅｃに開けた。上側の柵Ｆは、高さ１ｃｍの土台Ｆａと高さ１ｃｍの桁Ｆｂとの間に高さ６０ｃｍの柱Ｆｃを建て、下側の柵Ｅと上側の柵Ｆとを固定するためのボルトＪやピンＫを入れる横穴を土台Ｆａに開けた。下側の柵Ｅの桁Ｅｂおよび柱Ｅｃと下側の柵Ｅの桁Ｅｄおよび柱Ｅｆとの間に上側の柵Ｆの土台Ｆａと柱Ｆｃを入れ、下側の柵Ｅと上側の柵Ｆを組み立て、下側の柵Ｅの柱Ｅｃに開けた横穴Ｅｇと上側の柵Ｆの土台Ｆａに開けた横穴とにボルトＪを通し、ボルトＪとナットＬとを用いて下側の柵Ｅの柱Ｅｃと上側の柵Ｅの土台Ｆａとを固定し、または、下側の柵Ｅの柱Ｅｃに開けた横穴Ｅｇと上側の柵Ｄの土台に開けた横穴とにピンＫを通し、ピンＫを用いて下側の柵Ｅの柱Ｅｃと上側の柵Ｆの土台Ｆａとを固定した。よって、柵の高さ調節が高さ６３ｃｍから高さ１２２ｃｍまで出来るようにした、以上のことを特徴とするペット用檻やペット用柵である。
【００１６】
図４において、前記請求項１記載のペット用檻やペット用柵において、上側の柵Ａと下側の柵Ｂを組み立てた土台Ａａ，Ｂａと桁Ａｂ，Ｂｂの両端に縦穴Ｍを開け、その縦穴Ｍに柱Ｎを通して、上側の柵Ａと下側の柵Ｂを組み立てた数枚の柵を横方向に組み立ててペット用檻やペット用柵を造り、下側の柵Ａに対して上側の柵Ｂを好みの高さに調節できるようにしたペット用檻やペット用柵である。なお、図４では、柱Ａｃ、柱Ｂｃ、ピンＫ、ボルトＪ、ナットＬ、縦穴Ａｄ、縦穴Ｂｅおよび横穴Ｂｄ等は図面から除かれている。
【００１７】
図５において、前記請求項１記載のペット用檻やペット用柵において、上側の柵Ａと下側の柵Ｂを組み立てた土台Ａａ，Ｂａと桁Ａｂ，Ｂｂの両端に縦穴Ｍを開け、その縦穴Ｍに柱Ｎを通して、上側の柵Ａと下側の柵Ｂを組み立てた数枚の柵を横方向に組み立ててペット用檻やペット用柵を造り、下側の柵Ａに対して一部分の上側の柵Ｂを好みの高さに調節できるようにしたペット用檻やペット用柵である。なお、図５では、柱Ａｃ、柱Ｂｃ、ピンＫ、ボルトＪ、ナットＬ、縦穴Ａｄ、縦穴Ｂｅおよび横穴Ｂｄ等は図面から除かれている。
【００１８】
図６において、前記請求項１記載のペット用檻やペット用柵において、上側の柵Ａと下側の柵Ｂを組み立てた土台Ａａ，Ｂａと桁Ａｂ，Ｂｂの両端に縦穴Ｍを開け、その縦穴Ｍに柱Ｎを通して、上側の柵Ａと下側の柵Ｂを組み立てた数枚の柵を横方向に組み立ててペット用檻やペット用柵を造り、下側の柵Ａに対して上側の柵Ｂを好みの高さに調節できるようにし、柱Ｎを中心にして、組み立てた上側の柵Ａと下側の柵Ｂとの一面を回転して開閉できるようにしたペット用檻やペット用柵である。なお、図６では、柱Ａｃ、柱Ｂｃ、ピンＫ、ボルトＪ、ナットＬ、縦穴Ａｄ、縦穴Ｂｅおよび横穴Ｂｄ等は図面から除かれている。
【００１９】
図７，図８において、上側の柵と下側の柵を組み立て固定するピンＫで、柱と桁、柱と土台、土台と桁、および、柱と柱を固定するピンＫである。
【００２０】
【発明の効果】
柵を用いた犬猫等のペット用檻やペット用柵において、柵の高さ調節が出来るようになり、安価で強度のある扉ができる。
【図面の簡単な説明】
【図１】実施例のペット用檻やペット用柵の図。
【図２】実施例のペット用檻やペット用柵の図。
【図３】実施例のペット用檻やペット用柵の図。
【図４】実施例のペット用檻やペット用柵の図。
【図５】実施例のペット用檻やペット用柵の図。
【図６】実施例のペット用檻やペット用柵の図。
【図７】実施例のペット用檻やペット用柵に使用するピンの図。
【図８】実施例のペット用檻やペット用柵に使用するピンの図。
【符号の説明】
Ａ，Ｂ，Ｃ，Ｄ，Ｅ，Ｆ：柵。
Ａａ，Ａａ１，Ａａ２，Ａａ３，Ｂａ，Ｂａ１，Ｂａ２，Ｂａ３，Ｃａ，Ｄａ，Ｅａ，Ｆａ：土台。
Ａｂ，Ａｂ１，Ａｂ２，Ａｂ３，Ｂｂ，Ｂｂ１，Ｂｂ２，Ｂｂ３，Ｂｂ４，Ｃｂ，Ｄｂ，Ｅｂ，Ｅｄ，Ｆｂ：桁。
Ａｃ，Ｂｃ，Ｃｃ，Ｄｃ，Ｅｃ，Ｅｆ，Ｆｃ，Ｎ１，Ｎ２，Ｎ２１，Ｎ２２，Ｎ３，Ｎ４：柱。
Ｂｄ，Ｃｄ，Ｄｄ：横穴。
Ａｄ，Ｂｅ，Ｍ：縦穴。
Ｊ：ボルト。
Ｋ：ピン。  ｋ１：軸。  ｋ２：ストッパー。  ｋ３：ピン。  ｋ４：頭部。
Ｌ：ナット。
【図１】
2004242649.tif 000003
【図２】
2004242649.tif 000004
【図３】
2004242649.tif 000005
【図４】
2004242649.tif 000006
【図５】
2004242649.tif 000007
【図６】
2004242649.tif 000008
【図７】
2004242649.tif 000009
【図８】
2004242649.tif 000010
【手続補正書】
【提出日】平成15年5月22日(2003.5.22)
【手続補正２】
【補正対象書類名】明細書
【補正対象項目名】特許請求の範囲
【補正方法】変更
【補正の内容】
【特許請求の範囲】
【請求項１】
下側の柵Ａは、土台Ａａと桁Ａｂとの間に柱Ａｃを建て、上側の柵Ｂの柱Ｂｃを通すための縦穴Ａｄを桁Ａｂに開け、柵の高さ調節し固定するためのピンＫ等を入れる横穴を桁Ａｂに開け、上側の柵Ｂは、土台Ｂａと桁Ｂｂとの間に柱Ｂｃを建て、下側の柵Ａの柱Ａｃを通すための縦穴Ｂｅを土台Ｂａに開け、柵の高さ調節し固定するためのピンＫ等を入れる横穴Ｂｄを柱Ｂｃに開け、下側の柵Ａと上側の柵Ｂを組み立て、下側の柵Ａの桁Ａｂに開けた横穴と上側の柵Ｂの柱Ｂｃの開けた横穴ＢｄとにピンＫ等を通し、ピンＫ等を用いて下側の柵Ａの桁Ａｂと上側の柵Ｂの柱Ｂｃとを固定した、以上のことを特徴とするペット用柵。
【請求項２】
下側の柵Ｃは、土台Ｃａと桁Ｃｂとの間に柱Ｃｃを建て、柵の高さ調節し固定するためのピンＫ等を入れる横穴Ｃｄを柱Ｃｃに開け、柵の高さ調節し固定するためのピンＫ等を入れる横穴を桁Ｃｂに開け、上側の柵Ｄは、土台Ｄａと桁Ｄｂとの間に柱Ｄｃを建て、柵の高さ調節し固定するためのピンＫ等を入れる横穴Ｄｄを柱Ｄｃに開け、柵の高さ調節し固定するためのピンＫ等を入れる横穴を土台Ｄａに開け、下側の柵Ｃと上側の柵Ｄを組み立て、下側の柵Ｃの桁Ｃｂに開けた横穴と上側の柵Ｄの柱Ｄｃに開けた横穴ＤｄとにピンＫ等を通し、ピンＫ等を用いて下側の柵Ｃの桁Ｃｂと上側の柵Ｄの柱Ｄｃとを固定し、および、上側の柵Ｄの土台Ｄａに開けた横穴と下側の柵Ｃの柱Ｃｃの開けた横穴ＣｄとにピンＫ等を通し、ピンＫ等を用いて上側の柵Ｄの土台Ｄａと下側の柵Ｃの柱Ｃｃとを固定した、以上のことを特徴とするペット用柵。
【請求項３】
下側の柵Ｅは、土台Ｅａと桁Ｅｂとの間に柱Ｅｃを建て、および、土台Ｅａと桁Ｅｄとの間に柱Ｅｆを建て、柵の高さ調節し固定するためのピンＫ等を入れる横穴Ｅｇを柱Ｅｃに開け、上側の柵Ｆは、土台Ｆａと桁Ｆｂとの間に柱Ｆｃを建て、下側の柵Ｅと上側の柵Ｆとを固定するためのピンＫ等を入れる横穴を土台Ｆａに開け、下側の柵Ｅの桁Ｅｂと下側の柵Ｅの桁Ｅｄとの間に上側の柵Ｆの柱Ｆｃを入れ、下側の柵Ｅと上側の柵Ｆを組み立て、下側の柵Ｅの柱Ｅｃに開けた横穴Ｅｇと上側の柵Ｆの土台Ｆａに開けた横穴とにピンＫ等を通し、ピンＫ等を用いて下側の柵Ｅの柱Ｅｃと上側の柵Ｆの土台Ｆａとを固定した、以上のことを特徴とするペット用柵。
【請求項４】
前記請求項１記載のペット用柵、前記請求項２記載のペット用柵および前記請求項３記載のペット用柵において、上側の柵と下側の柵を組み立てた土台と桁の両端に縦穴Ｍを開け、その縦穴Ｍに柱Ｎを通して、上側の柵と下側の柵を組み立てた数枚の柵を横方向に組み立ててペット用檻を造り、下側の柵に対して上側の柵を好みの高さに調節できるようにし、柱Ｎを中心にして、組み立てた上側の柵と下側の柵との一面を回転して開閉できるようにした、以上のことを特徴とするペット用檻。